(57)【要約】【課題】建物内の換気を行なうために適正な空気の流れを作ることが可能な熱交換型換気装置を提供する。【解決手段】本発明の熱交換型換気装置１Ａは、装置本体２が建物１００の床下に形成された配管設置空間１０１に設置される。また、室内給気口３が室内１０２の床面１０３に設置され、装置本体２と室内給気口３が、配管設置空間１０１を経由した給気ダクト３０で接続される。更に、室内吸込口４が室内１０２の天井近くの壁面１０５に設置され、装置本体２と室内吸込口４が、壁内１０５ａ及び配管設置空間１０１を経由した排気ダクト４０で接続される。【選択図】        図１
2008032319.tif 000002
【特許請求の範囲】
【請求項１】
室内の床または床に近接した壁面に設置される室内給気口と給気ダクトを介して接続されると共に、前記室内給気口が設置された室内と同室または他室の天井に近接した壁面または天井に設置される室内吸込口と排気ダクトを介して接続された装置本体に、
外気を吸入し前記室内給気口から室内に給気する給気手段と、
前記室内吸込口から室内の空気を吸入して屋外へ排出する排気手段と、
前記給気手段で吸入した外気と前記排気手段で吸入した室内の空気との間で熱交換を行う熱交換手段とを備え、
前記装置本体は、建物の床下に形成された配管設置空間に設置され、
前記給気ダクトは、前記配管設置空間を経由して前記室内給気口と接続され、
前記排気ダクトは、前記配管設置空間及び前記建物の壁内を経由して前記室内吸込口と接続される
ことを特徴とする熱交換型換気装置。
【請求項２】
前記室内給気口は、室内の一方の端部側に設置されると共に、前記室内吸込口は、前記室内給気口が設置された室内の他方の端部側に設置され、室内の下部から上部へ向けて、室内を通過する換気経路が構成される
ことを特徴とする請求項１記載の熱交換型換気装置。
【請求項３】
前記室内吸込口は、室内の室内収納部に設置される
ことを特徴とする請求項１または２記載の熱交換型換気装置。
【請求項４】
建物内の空気を吸入して屋外へ排気する換気装置と、
室内へ給気する外気と屋外へ排気する室内の空気との間で熱交換を行う熱交換型換気装置を備え、
前記熱交換型換気装置は、
室内の床または床に近接した壁面に設置される室内給気口と給気ダクトを介して接続されると共に、前記室内給気口が設置された室内と同室または他室の天井に近接した壁面または天井に設置される室内吸込口と排気ダクトを介して接続された装置本体に、
外気を吸入し前記室内給気口から室内に給気する給気手段と、
前記室内吸込口から室内の空気を吸入して屋外へ排出する排気手段と、
前記給気手段で吸入した外気と前記排気手段で吸入した室内の空気との間で熱交換を行う熱交換手段とを備え、
前記装置本体は、建物の床下に形成された配管設置空間に設置され、
前記給気ダクトは、前記配管設置空間を経由して前記室内給気口と接続され、
前記排気ダクトは、前記配管設置空間及び前記建物の壁内を経由して前記室内吸込口と接続され、
所定時間で建物内の空気を入れ替えられるように、前記換気装置と前記熱交換型換気装置の換気風量が設定される
ことを特徴とする換気システム。
【請求項５】
前記換気装置は、浴室に設置され、浴室及び浴室を介して他の室内から空気を吸入し、屋外へ排出する浴室換気装置である
ことを特徴とする請求項４記載の換気システム。
【請求項６】
室内へ給気する外気と屋外へ排気する室内の空気との間で熱交換を行う熱交換型換気装置を備えた建物であって、
各種配管設備が設置される配管設置空間が床下に形成され、
前記熱交換型換気装置は、
前記配管設置空間に設置される装置本体に、
外気を吸入し室内給気口から室内に給気する給気手段と、
室内吸込口から室内の空気を吸入して屋外へ排出する排気手段と、
前記給気手段で吸入した外気と前記排気手段で吸入した室内の空気との間で熱交換を行う熱交換手段とを備え、
前記室内給気口が、室内の床または床に近接した壁面に設置され、前記配管設置空間を経由した給気ダクトを介して前記装置本体と接続されると共に、
前記室内吸込口が、前記室内給気口が設置された室内と同室または他室の天井に近接した壁面または天井に設置され、前記配管設置空間及び壁内を経由した排気ダクトを介して前記装置本体と接続される
ことを特徴とする建物。
【発明の詳細な説明】
【技術分野】
【０００１】
本発明は、建物の床下に設置され、室内の換気を行う熱交換型換気装置、この熱交換型換気装置を備えた換気システム及び建物に関する。
【背景技術】
【０００２】
建物内の換気を行なう換気装置では、外気を室内に給気すると共に、室内の空気を排気する装置本体を、建物の天井に設置する形態のものが提案されている。このように、建物の天井に装置本体を設置する形態の換気装置では、室内に空気を給気する給気口と、室内の空気を吸い込む吸込口も天井に設置されていた（例えば、特許文献１参照）。
【０００３】
【特許文献１】特開平１０−２８１５２３号公報
【発明の開示】
【発明が解決しようとする課題】
【０００４】
従来の換気装置では、天井に装置本体を設置すると共に、給気口や吸込口と装置本体を接続するダクトを天井に設置している。しかし、天井裏の空間は、ダクトを自在に配置するために必要な十分な広さが無く、ダクト配置の自由度が低い。このため、建物内の換気を行なうために適正な空気の流れを作れるような配置で給気口や吸込口を設けることが困難であった。
【０００５】
本発明は、このような課題を解決するためになされたもので、建物内の換気を行なうために適正な空気の流れを作ることが可能な熱交換型換気装置、換気システム及び建物を提供することを目的とする。
【課題を解決するための手段】
【０００６】
上述した課題を解決するため、本発明の熱交換型換気装置は、室内の床または床に近接した壁面に設置される室内給気口と給気ダクトを介して接続されると共に、室内給気口が設置された室内と同室または他室の天井に近接した壁面または天井に設置される室内吸込口と排気ダクトを介して接続された装置本体に、外気を吸入し前記室内給気口から室内に給気する給気手段と、室内吸込口から室内の空気を吸入して屋外へ排出する排気手段と、給気手段で吸入した外気と排気手段で吸入した室内の空気との間で熱交換を行う熱交換手段とを備え、装置本体は、建物の床下に形成された配管設置空間に設置され、給気ダクトは、配管設置空間を経由して室内給気口と接続され、排気ダクトは、配管設置空間及び建物の壁内を経由して室内吸込口と接続されることを特徴とする。
【０００７】
本発明の熱交換型換気装置では、屋外から吸入して室内に給気する空気と、室内から吸入して屋外へ排出する空気との間で熱交換を行い、室内に給気する空気を室温に近づけて、室内の換気を行う。
【０００８】
そして、室内給気口が室内の下部に配置され、室内吸込口が室内の上部に配置されることで、室内給気口から給気された新鮮な空気によって、室内の下部から上部へ向けての空気の流れが発生する。
【０００９】
また、室内吸込口を、例えば室内の室内収納部に設置することで、室内収納部を通る空気の流れが発生し、室内の下部から上部へ向けての空気の流れによって、室内だけでなく、室内収納部の換気を行う。
【００１０】
また、本発明の換気システムは、建物内の空気を吸入して屋外へ排気する換気装置と、室内へ給気する外気と屋外へ排気する室内の空気との間で熱交換を行う熱交換型換気装置を備え、熱交換型換気装置は、室内の床または床に近接した壁面に設置される室内給気口と給気ダクトを介して接続されると共に、室内給気口が設置された室内と同室または他室の天井に近接した壁面または天井に設置される室内吸込口と排気ダクトを介して接続された装置本体に、外気を吸入し室内給気口から室内に給気する給気手段と、室内吸込口から室内の空気を吸入して屋外へ排出する排気手段と、給気手段で吸入した外気と排気手段で吸入した室内の空気との間で熱交換を行う熱交換手段とを備え、装置本体は、建物の床下に形成された配管設置空間に設置され、給気ダクトは、配管設置空間を経由して室内給気口と接続され、排気ダクトは、配管設置空間及び建物の壁内を経由して室内吸込口と接続され、所定時間で建物内の空気を入れ替えられるように、換気装置と熱交換型換気装置の換気風量が設定されることを特徴とする。
【００１１】
本発明の換気システムでは、熱交換型換気装置は、屋外から吸入して室内に給気する空気と、室内から吸入して屋外へ排出する空気との間で熱交換を行い、室内に給気する空気を室温に近づけて、室内の換気を行う。
【００１２】
そして、室内給気口が室内の下部に配置され、室内吸込口が室内の上部に配置されることで、室内給気口から給気された新鮮な空気によって、室内の下部から上部へ向けての空気の流れが発生する。
【００１３】
換気装置は、建物内の所定の箇所から空気を吸入して屋外へ排気する。そして、所定時間で建物内の空気を入れ替えられるように、換気装置と熱交換型換気装置の換気風量を設定することで、建物内の２４時間換気が行なわれる。
【００１４】
更に、本発明の建物は、室内へ給気する外気と屋外へ排気する室内の空気との間で熱交換を行う熱交換型換気装置を備えた建物であって、各種配管設備が設置される配管設置空間が床下に形成され、熱交換型換気装置は、配管設置空間に設置される装置本体に、外気を吸入し室内給気口から室内に給気する給気手段と、室内吸込口から室内の空気を吸入して屋外へ排出する排気手段と、給気手段で吸入した外気と排気手段で吸入した室内の空気との間で熱交換を行う熱交換手段とを備え、室内給気口が、室内の床または床に近接した壁面に設置され、配管設置空間を経由した給気ダクトを介して装置本体と接続されると共に、室内吸込口が、室内給気口が設置された室内と同室または他室の天井に近接した壁面または天井に設置され、配管設置空間及び壁内を経由した排気ダクトを介して装置本体と接続されることを特徴とする。
【００１５】
本発明の建物では、床下に各種配管設備を設置するための配管設置空間が形成され、配管設置空間に熱交換型換気装置の装置本体を設置する。また、室内のレイアウトに合わせて室内給気口と室内吸込口を配置し、室内給気口と室内吸込口の配置に合わせて、配管設置空間を経由して給気ダクト及び排気ダクトを設置する。
【発明の効果】
【００１６】
本発明の熱交換型換気装置によれば、室内の下部から上部へ向けての空気の流れが発生するので、室内全体を換気できるような空気の流れを作り出すことができ、換気能力が向上する。また、新鮮な空気が室内の下部から供給されることで、室内に居る人が新鮮な空気を吸いやすくなるような、空気の流れを作り出すことができる。
【００１７】
また、室内吸込口を、例えば室内の室内収納部に設置することで、空気が淀みやすい空間の換気を行うことができる。
【００１８】
本発明の換気システムによれば、このような熱交換型換気装置を備えることで、機械給気と機械排気による第１種換気システムを実現することができ、常時安定した換気風量を得ることができる。
【００１９】
また、熱交換型換気装置と他の換気装置を連動させて換気を行うことで、建物全体の換気を行うことができる。
【００２０】
本発明の建物によれば、床下に配管設置空間が形成されることで、熱交換型換気装置や給気ダクト及び排気ダクトの配置の自由度が向上し、適正な空気の流れが得られるように、室内給気口と室内吸込口を設置することができる。
【発明を実施するための最良の形態】
【００２１】
以下、図面を参照して本発明の熱交換型換気装置、この熱交換型換気装置を備えた換気システム及び建物の実施の形態について説明する。
【００２２】
＜本実施の形態の熱交換型換気装置の構成例＞
図１は、本実施の形態の熱交換型換気装置の一例を示す全体構成図、図２は、本実施の形態の熱交換型換気装置の一例を示す内部構成図である。
【００２３】
本実施の形態の熱交換型換気装置１Ａは、屋外から吸入して室内に給気する空気と、室内から吸入して屋外へ排出する空気との間で熱交換を行い、室内に給気する空気を室温に近づけて、室内の換気を行う。
【００２４】
ここで、屋外から吸入する空気を外気ＯＡ（Outside Air）、室内に給気する空気を給気ＳＡ（Supply Air）と称す。また、室内から吸入する空気を還気ＲＡ（Return Air）、屋外へ排出する空気を排気ＥＡ（Exhaust Air）と称す。
【００２５】
熱交換型換気装置１Ａは、図１に示すように、建物１００の床下に形成される配管設置空間１０１に装置本体２が設置される。熱交換型換気装置１Ａは、室内１０２への給気ＳＡが吹き出す室内給気口３が、床面１０３等の室内１０２の下部に設置され、装置本体２と室内給気口３が、配管設置空間１０１を経由する給気ダクト３０を介して接続される。
【００２６】
また、熱交換型換気装置１Ａは、室内１０２から還気ＲＡを吸入する室内吸込口４が、天井１０４に近い壁面１０５等の室内１０２の上部に設置され、装置本体２と室内吸込口４が、壁内１０５ａ及び配管設置空間１０１を経由する排気ダクト４０を介して接続される。
【００２７】
次に、図２を参照して、熱交換型換気装置１Ａの構成の詳細について説明する。熱交換型換気装置１Ａは、装置本体２に給気ファン部２０と排気ファン部２１と熱交換素子２２等を備える。
【００２８】
給気ファン部２０は給気手段の一例で、給気ファンモータ２０ａに回転駆動される多翼ファン２０ｂと、風路を形成する給気ファンケース２０ｃを備える。給気ファンケース２０ｃは、多翼ファン２０ｂの軸方向に沿った上面に吸込口２０ｄが形成されると共に、多翼ファン２０ｂの接線方向に沿った側面に吹出口２０ｅが形成される。これにより、給気ファン部２０は、多翼ファン２０ｂが回転駆動されると、吸込口２０ｄから空気を吸い込んで、吹出口２０ｅから排出する空気の流れを生成する。
【００２９】
排気ファン部２１は排気手段の一例で、排気ファンモータ２１ａに回転駆動される多翼ファン２１ｂと、風路を形成する排気ファンケース２１ｃを備える。排気ファンケース２１ｃは、多翼ファン２１ｂの軸方向に沿った上面に吸込口２１ｄが形成されると共に、多翼ファン２１ｂの接線方向に沿った側面に吹出口２１ｅが形成される。これにより、排気ファン部２１は、多翼ファン２１ｂが回転駆動されると、吸込口２１ｄから空気を吸い込んで、吹出口２１ｅから排出する空気の流れを生成する。
【００３０】
給気ファン部２０と排気ファン部２１は、装置本体２の本体ケース２３内に、吹出口２０ｅと吹出口２１ｅを反対向きとして、上下方向に重ねて取り付けられる。
【００３１】
熱交換素子２２は熱交換手段の一例で、複数の風路が並列して形成される図示しない風路形成部材が、空気の流れる方向を直交する向きとして交互に積層される構成で、隔絶された第１の風路２２ａと第２の風路２２ｂが交互に形成される。熱交換素子２２は、第１の風路２２ａを通る空気と第２の風路２２ｂを通る空気が混合することなく、熱交換が行われる。
【００３２】
熱交換素子２２は、装置本体２の本体ケース２３内に、風路形成枠体２３ａを介して取り付けられる。熱交換素子２２は、第１の風路２２ａの吸込側と、第２の風路２２ｂの吸込側が上側となる向きで取り付けられ、風路形成枠体２３ａは、熱交換素子２２の第１の風路２２ａの吸込側及び吹出側と、第２の風路２２ｂの吸込側及び吹出側をそれぞれ仕切る。
【００３３】
そして、熱交換素子２２の第１の風路２２ａの吸込側と、給気ファン部２０の吹出側となる給気ファンケース２０ｃの吹出口２０ｅが連通する風路が形成される。また、熱交換素子２２の第２の風路２２ｂの吹出側と、排気ファン部２１の吸込側となる排気ファンケース２１ｃの吸込口２１ｄが連通する風路が形成される。
【００３４】
装置本体２は、本体ケース２３の一方の端部に給気ダクト取付部３１と排気ダクト取付部４１を備える。給気ダクト取付部３１は、熱交換素子２２の第１の風路２２ａの吹出側と連通し、図１に示す給気ダクト３０が接続される。排気ダクト取付部４１は、熱交換素子２２の第２の風路２２ｂの吸込側と連通し、図１に示す排気ダクト４０が接続される。
【００３５】
また、装置本体２は、本体ケース２３の他方の端部に外気吸込ダクト取付部３２と還気排出ダクト取付部４２を備える。外気吸込ダクト取付部３２は、給気ファン部２０の吸込側となる給気ファンケース２０ｃの吸込口２０ｄと連通し、図１に示す外気吸込ダクト３３が接続される。外気吸込ダクト３３は、建物１００の外壁１０６に設置された屋外吸込口３３ａと接続される。
【００３６】
還気排出ダクト取付部４２は、排気ファン部２１の吹出側となる排気ファンケース２１ｃの吹出口２１ｅと連通し、図１に示す還気排出ダクト４３が接続される。還気排出ダクト４３は、建物１００の外壁１０６に設置された屋外排出口４３ａと接続される。
【００３７】
これにより、外気吸込ダクト取付部３２から、給気ファン部２０及び熱交換素子２２の第１の風路２２ａを通り、給気ダクト取付部３１に連通した外気導入風路３４が形成される。また、排気ダクト取付部４１から、熱交換素子２２の第２の風路２２ｂ及び排気ファン部２１を通り、還気排出ダクト取付部４２に連通した還気排出風路４４が形成される。
【００３８】
装置本体２は、熱交換素子２２の第１の風路２２ａの吸込側に給気フィルタ３５を備える。また、熱交換素子２２の第２の風路２２ｂの吸込側に排気フィルタ４５を備える。給気フィルタ３５と排気フィルタ４５は、風路形成枠体２３ａに対して着脱自在な構成を有する。
【００３９】
更に、装置本体２は、熱交換素子２２の上側の本体ケース２３に蓋部２３ｂを備える。蓋部２３ｂは本体ケース２３に対して開閉可能な構成で、蓋部２３ｂを開けることで、装置本体２の上側から、給気フィルタ３５及び排気フィルタ４５の交換が可能となっている。
【００４０】
＜本実施の形態の換気システムの構成例＞
図３及び図４は、本実施の形態の換気システムの一例を示す全体構成図で、図３は、本実施の形態の換気システムの各構成の配置を示す建物の模式的な平面図、図４は、換気システムの各構成の配置を示す建物の模式的な側面図である。
【００４１】
本実施の形態の換気システム５Ａは、図１及び図２で説明した熱交換型換気装置１Ａと、浴室換気装置６を備える。
【００４２】
熱交換型換気装置１Ａは、図１で説明したように、建物１００の床下に形成される配管設置空間１０１に装置本体２が設置されると共に、室内給気口３が室内１０２の下部である例えば床面１０３に設置され、室内吸込口４が室内１０２の上部である天井１０４に近い壁面１０５に設置される。
【００４３】
そして、装置本体２と室内給気口３が、配管設置空間１０１を経由する給気ダクト３０を介して接続され、装置本体２と室内吸込口４が、壁内１０５ａ及び配管設置空間１０１を経由する排気ダクト４０を介して接続される。
【００４４】
ここで、換気を行う室内１０２として、部屋１０２ａ（リビングルーム）、部屋１０２ｂ（和室）、部屋１０２ｃ，１０２ｄ（寝室等）のように、複数の部屋がある場合、例えば各部屋毎に、室内給気口３と室内吸込口４が設置される。
【００４５】
このため、給気ダクト３０に分岐チャンバ３０ａを接続して、室内給気口３を設置する部屋の数に合わせて給気ダクト３０を複数本に分岐する。また、排気ダクト４０に分岐チャンバ４０ａを接続して、室内吸込口４を設置する部屋の数に合わせて排気ダクト４０を複数本に分岐する。
【００４６】
更に、室内吸込口４の設置場所は、例えばリビングルームである部屋１０２ａでは、天井１０４に近い壁面１０５とする。これに対して、例えば和室である部屋１０２ｂでは、室内吸込口４の設置場所は、室内収納部１１０としての押入れ１１０ａの天井１０４に近い壁面１１１ａとする。また、例えば寝室等である部屋１０２ｃ，１０２ｄでは、室内吸込口４の設置場所は、室内収納部１１０としてのクローゼット１１０ｂの天井１０４に近い壁面１１１ｂとする。
【００４７】
そして、室内給気口３の設置場所は、室内吸込口４に対して部屋の対角線上等、部屋の一方の端部側に室内給気口３が配置され、室内給気口３の設置箇所からなるべく遠い他方の端部側に室内吸込口４が配置されるように設定される。
【００４８】
浴室換気装置６は換気装置の一例で、浴室１０７の天井１０７ａに設置される。浴室換気装置６は、装置本体の下面に取り付けられるフロントパネル６０から浴室１０７内の空気を吸い込み、排気ダクト６１を介して屋外排出口６１ａから屋外へ排出する図示しない換気ファンを備える。
【００４９】
浴室換気装置６は、浴室１０７の空気、及び図示しないガラリやドアアンダーカットＧを介して他室の空気を吸入して屋外へ排出することで、建物１００内の換気を行う。
【００５０】
また、サニタリ空間である洗面脱衣所１０８及びトイレ１０９の天井に設置した副吸込口７と副吸込ダクト７０を介して接続され、洗面脱衣所１０８及びトイレ１０９の換気を行う。
【００５１】
なお、浴室換気装置６は、フロントパネル６０から浴室１０７内の空気を吸い込み、浴室１０７内に循環させる図示しない循環ファンと、ヒータ等を備え、浴室１０７の暖房や、浴室１０７及び衣類等の乾燥を行う機能を有している。
【００５２】
＜本実施の形態の換気システムの制御構成例＞
図５は、本実施の形態の換気システムの制御系の一例を示す制御ブロック図である。換気システム５Ａは、１台の操作部５０の操作で、浴室換気装置６と熱交換型換気装置１Ａが制御される。
【００５３】
浴室換気装置６は、図示しない換気ファン等を駆動するファンモータ５１と、ヒータ５２等が、操作部５０での操作に従って制御部５３により制御される。
【００５４】
また、熱交換型換気装置１Ａは、図２で説明した給気ファンモータ２０ａと排気ファンモータ２１ａ等が、操作部５０での操作に従って制御部５３により制御され、制御部５３は、操作部５０での操作に従って、熱交換型換気装置１Ａの動作と浴室換気装置６の動作を連動させる。
【００５５】
ここで、制御部５３は、浴室換気装置６に備える構成でも良いし、操作部５０に備える構成でも良い。また、制御部を浴室換気装置６と熱交換型換気装置１Ａのそれぞれに備え、通信を行って動作を連動させても良い。
【００５６】
操作部５０で選択して、制御部５３で実行される浴室換気装置６と熱交換型換気装置１Ａを連動させた運転モードとしては、例えば、２４時間換気運転モードと急速換気運転モードを設けている。
【００５７】
また、浴室換気装置６単体での運転モードとしては、暖房運転モードと乾燥運転モード等を設けている。このため、操作部５０は、例えば図３に示す洗面脱衣所１０８に設置される。なお、操作部５０で選択できる運転モードは、上記例に限るものではない。
【００５８】
＜本実施の形態の建物の構成例＞
次に、図１〜図４を参照して、本実施の形態の建物１００について説明する。建物１００は、上述したように、床下に配管設置空間１０１が形成される。配管設置空間１０１は、上水管や排水管等を任意の場所に配置できるようにして、室内１０２のレイアウトを自由に変更できるように設けられる。
【００５９】
このため、建物１００の構造体１００ａに対して床面１０３が脚部１０３ａにより所定の高さで支持されて、床面１０３の下に、配管設置空間１０１を形成している。
【００６０】
熱交換型換気装置１Ａは、装置本体２を例えば床面１０３から吊り下げる形態で、配管設置空間１０１に設置される。ここで、装置本体２の設置位置の床面１０３には、図２で説明した蓋部２３ｂに対応して開閉可能な点検蓋１０３ｂを備え、床面１０３の点検蓋１０３ｂを開けることで、装置本体２の蓋部２３ｂを開閉できるようにする。
【００６１】
＜本実施の形態の熱交換型換気装置及び換気システムの動作例＞
次に、各図を参照して、本実施の形態の熱交換型換気装置１Ａ及び換気システム５Ａで実行される換気動作の一例について説明する。
【００６２】
まず、熱交換型換気装置１Ａによる換気動作について説明する。熱交換型換気装置１Ａは、給気ファンモータ２０ａを駆動することで、給気ファン部２０の多翼ファン２０ｂが回転駆動されると、外気導入風路３４を通る空気の流れが生じ、外気ＯＡが屋外吸込口３３ａから外気吸込ダクト３３を介して装置本体２に吸い込まれる。
【００６３】
装置本体２に吸い込まれた外気ＯＡは、熱交換素子２２の第１の風路２２ａを通り、装置本体２から給気ダクト３０を介して室内給気口３へと送られ、室内給気口３から給気ＳＡとして吹き出す。
【００６４】
また、熱交換型換気装置１Ａは、排気ファンモータ２１ａを駆動することで、排気ファン部２１の多翼ファン２１ａが回転駆動されると、還気排出風路４４を通る空気の流れが生じ、還気ＲＡが室内吸込口４から排気ダクト４０を介して装置本体２に吸い込まれる。
【００６５】
装置本体２に吸い込まれた還気ＲＡは、熱交換素子２２の第２の流路２２ｂを通り、装置本体２から還気排出ダクト４３に送られ、屋外排出口４３ａから排気ＥＡとして排出される。
【００６６】
上述したように、熱交換素子２２は、第１の風路２２ａを外気ＯＡが通り、第２の風路２２ｂを還気ＲＡが通る。これにより、室内の空気を屋外へ排気しながら、外気が室温に近づけられて室内に給気され、室内１０２の換気が行われる。
【００６７】
ここで、室内給気口３が床面１０３等の室内１０２の下部に配置され、室内吸込口４が天井１０４に近い壁面１０５等の室内１０２の上部に配置されることで、熱交換型換気装置１Ａで換気動作を行うと、室内給気口３から給気された新鮮な空気によって、室内１０２の下部から上部へ向けての空気の流れが発生する。
【００６８】
また、室内吸込口４を押入れ１１０ａやクローゼット１１０ｂ等の室内収納部１１０に設置する構成では、室内給気口３から給気された新鮮な空気は、押入れ１１０ａやクローゼット１１０ｂと部屋を仕切る上部の壁面１１２に設置したガラリ１１２ａや、押入れ１１０ａやクローゼット１１０ｂの扉１１３の上部に設置した図示しないガラリ等を通り、押入れ１１０ａやクローゼット１１０ｂ内から室内吸込口４へと吸い込まれる。
【００６９】
次に、熱交換型換気装置１Ａと浴室換気装置６を連動させた換気システム５Ａによる換気動作について説明する。図５に示す操作部５０で、２４時間換気運転モードの実行を選択する図示しないボタンが押されると、制御部５３は、熱交換型換気装置１Ａの給気ファンモータ２０ａと排気ファンモータ２０ｂを制御して、熱交換型換気装置１Ａによる換気動作を行う。ここで、熱交換型換気装置１Ａによる換気動作は上述した通りである。
【００７０】
また、制御部５３は、浴室換気装置６のファンモータ５１を制御して、浴室換気装置６による換気動作を行う。
【００７１】
浴室換気装置６で換気動作を行うと、フロントパネル６０から浴室１０７内の空気が吸い込まれ、排気ダクト６１を介して屋外排出口６１ａから屋外へ排出される。
【００７２】
また、浴室１０７内の空気が吸い込まれることで、浴室ドア１０７ｂに備えた図示しないガラリやドアアンダーカットＧを介して他室の空気が浴室１０７内から浴室換気装置６へ吸い込まれ、屋外に排出される。
【００７３】
更に、洗面脱衣所１０８及びトイレ１０９の天井に設置した副吸込口７から、副吸込ダクト７０を介してサニタリ空間内の空気が浴室換気装置６へ吸い込まれ、屋外に排出される。
【００７４】
２４時間換気運転モードでは、所定時間で建物１００内の空気が入れ替えられるように、熱交換型換気装置１Ａの換気風量と浴室換気装置６の換気風量が設定される。表１に換気風量の一例を示す。
【００７５】
【表１】
2008032319.tif 000003
【００７６】
本例では、熱交換型換気装置１Ａで換気動作を行うことで、各室内給気口３から室内１０２へと吹き出す給気ＳＡの量に対して、熱交換型換気装置１Ａで換気動作を行うことで、室内１０２から各室内吸込口４で吸入されて排出される排気ＥＡの量、及び浴室換気装置６で換気動作を行うことで、浴室１０７等から吸入されて排出される排気ＥＡの量の合計が同等となるように、換気風量が設定される。
【００７７】
このため、熱交換型換気装置１Ａでは、表１に示すような換気風量が得られるように、給気ファン部２０の給気ファンモータ２０ａと排気ファン部２１の排気ファンモータ２１ａの回転数が制御される。また、浴室換気装置６では、表１に示すような換気風量が得られるように、図示しない換気ファンのファンモータ５１の回転数が制御される。
【００７８】
更に、２４時間換気運転モードに加えて、短時間で建物１００内の空気を入れ替える急速換気運転モードを設けても良い。急速換気運転モードでは、熱交換型換気装置１Ａによる給気量と、熱交換型換気装置１Ａ及び浴室換気装置６による排気量の合計を、２４時間換気運転モード時より増加させる。なお、表１に示す換気風量は一例であり、他の値であっても良い。
【００７９】
さて、熱交換型換気装置１Ａは、室内に新鮮な空気を給気するため及び熱交換素子２２の目詰まりを防止するために、給気フィルタ３５と排気フィルタ４５を備えている。これら給気フィルタ３５と排気フィルタ４５は、所期の性能を発揮するために定期的に洗浄や交換をする必要がある。
【００８０】
給気フィルタ３５と排気フィルタ４５の交換作業は、床面１０３の点検蓋１０３ｂを開け、装置本体２の蓋部２３ｂを開けることで行われる。なお、蓋部２３ｂを開けることで、熱交換素子２２の交換を行うことも可能となっている。
【００８１】
＜本実施の形態の熱交換型換気装置、換気システム及び建物の効果例＞
本実施の形態の建物１００では、床下のほぼ全体に配管設置空間１０１が形成され、本実施の形態の熱交換型換気装置１Ａは、配管設置空間１０１に装置本体２を設置すると共に、室内給気口３と接続される給気ダクト３０及び室内吸込口４と接続される排気ダクト４０を、配管設置空間１０１を経由させている。
【００８２】
配管設置空間１０１は、上水管や排水管等を任意の場所に配置できるように、各種配管を取り回すための十分な高さを有しており、これにより、給気ダクト３０及び排気ダクト４０の配置の自由度が向上し、室内給気口３と室内吸込口４が、部屋１０２ａ等の１つの室内１０２でなるべく遠い位置となるような配置が可能となる。
【００８３】
また、熱交換型換気装置１Ａでは、室内給気口３が床面１０３等の室内１０２の下部に配置され、室内吸込口４が天井１０４に近い壁面１０５等の室内１０２の上部に配置されることで、室内１０２の下部から上部へ向けての空気の流れが発生する。
【００８４】
これにより、室内全体を換気できるような空気の流れを作り出すことができ、換気能力が向上する。また、新鮮な空気が室内１０２の下部から供給されることで、室内１０２に居る人が新鮮な空気を吸いやすくなるような、理想的な空気の流れを作り出すことができる。
【００８５】
更に、室内給気口３を床面１０３等に設置することで、床面１０３に近い室内１０２の下層部分での換気及び対流ができ、空気の淀みが抑制される。
【００８６】
また、冷たい空気は、そのままの塊として降下する性質があることで、従来のように、天井から給気を行う構成では、冷たい空気の塊が人に当たること等によって寒さを感じるコールドドラフトが発生することがあったが、室内給気口３を床面１０３等に設置することで、冷たい空気の塊が降下することがなく、徐々に暖められて上昇していくことから、コールドドラフトを抑制することができる。
【００８７】
更に、従来のように、天井から給気と排気を行う構成では、給気された空気が室内を十分に循環することなく排気されてしまうショートカットが発生することがあったが、室内給気口３を床面１０３等に設置すると共に、室内吸込口４を天井近くの壁面１０５に設置することで、給気口と吸込口の距離が離れ、ショートカットを抑制することができる。
【００８８】
また、室内吸込口４を押入れ１１０ａやクローゼット１１０ｂ等の室内収納部１１０に設置することで、室内給気口３から給気された新鮮な空気は、押入れ１１０ａやクローゼット１１０ｂ内を通って室内吸込口４から吸い込まれる。
【００８９】
これにより、空気が淀みやすい空間の換気が行われ、室内１０２だけでなく、建物１００内で従来は十分に換気が行えなかったような空間の換気も可能となり、建物全体で理想的な換気が可能となる。
【００９０】
更に、押入れ１１０ａやクローゼット１１０ｂ内に空気の流れが生じることで、押入れ１１０ａやクローゼット１１０ｂ内の壁面や、衣類等の収納物にカビが発生すること等を抑制することができる。
【００９１】
また、熱交換型換気装置１Ａは、建物１００の床下の配管設置空間１０１に設置されることで、フィルタ類の交換や各種点検作業を、床面１０３の点検蓋１０３ｂを開けることで行える。
【００９２】
これにより、熱交換型換気装置１Ａの各種点検作業を、脚立等の踏み台に乗って行う必要が無くなって、作業が容易になると共に安全性も向上する。従って、保守を行うサービスマンではない一般のユーザでも、容易にフィルタ等の洗浄や交換作業を行うことができる。
【００９３】
本実施の形態の換気システム５Ａでは、室内１０２への給気は、熱交換型換気装置１Ａによって室内給気口３から行われる。これにより、建物１００の外壁１０６に、屋外と室内を直接連通させる吸込グリルを設置する必要がない。
【００９４】
従って、機械給気と機械排気による第１種換気システムを実現することが可能で、常時安定した換気風量を得ることができる。
【００９５】
また、熱交換型換気装置１Ａと浴室換気装置６を連動させて換気を行い、換気風量を制御することで、リビングルーム等の室内１０２だけでなく、浴室１０７と、洗面脱衣所１０８等のサニタリ空間を含めた建物１００全体の２４時間換気を行うことができる。
【００９６】
また、熱交換型換気装置１Ａと浴室換気装置６を連動させて換気風量を制御し、給気量と排気量が同等となるように給排気のバランスを取ることで、２４時間換気動作で室内負圧によりドアに荷重がかかり、ドアの開閉がしづらくなる等の問題を解消することができる。
【００９７】
また、吸込グリルを設置しないことで、屋外と直接繋がるような音の侵入経路が無くなり、騒音が低減される。なお、室内１０２と屋外とは、各種ダクトを介して連通することになるが、ダクトには音の減衰効果があることから、ダクトを介して進入する騒音も低減されている。
【００９８】
＜本実施の形態の熱交換型換気装置、換気システム及び建物の変形例＞
上述したように、本実施の形態の熱交換型換気装置１Ａでは、給気ファン部２０と排気ファン部２１を独立したファンモータで駆動することで、給排気風量を設定できるようした。これに対して、給気ダクト取付部３１や排気ダクト取付部４１等のダクトジョイントに、風路を開閉する電動ダンパを備えて、ダンパの開度で風量を調整する構成としても良い。このような構成では、給気ファン部と排気ファン部を単一のファンモータで駆動することも可能となる。
【００９９】
なお、本実施の形態の換気システム５Ａでは、熱交換型換気装置１Ａを浴室換気装置６と連動させることとしたが、レンジフード等の他の換気装置と連動させても良い。
【０１００】
図５は、本実施の形態の熱交換型換気装置の変形例を示す構成図である。変形例の熱交換型換気装置１Ｂでは、外気吸込ダクト取付部３２等の装置本体２の外部にフィルタボックス２４を備える。
【０１０１】
装置本体２の外部にフィルタボックス２４を備えることで、装置本体２内の給気フィルタ３５等に虫等が付かないようにして、装置本体２の清掃が容易に行なえるようになる。なお、フィルタボックス２４は、排気ダクト取付部４１等の排気側に備える構成としても良い。
【産業上の利用可能性】
【０１０２】
本発明は、集合住宅等の２４時間換気システムに適用される。
【図面の簡単な説明】
【０１０３】
【図１】本実施の形態の熱交換型換気装置の一例を示す全体構成図である。
【図２】本実施の形態の熱交換型換気装置の一例を示す内部構成図である。
【図３】本実施の形態の換気システムの一例を示す全体構成図である。
【図４】本実施の形態の換気システムの一例を示す全体構成図である。
【図５】本実施の形態の換気システムの制御系の一例を示す制御ブロック図である。
【図６】本実施の形態の熱交換型換気装置の変形例を示す構成図である。
【符号の説明】
【０１０４】
１Ａ・・・熱交換型換気装置、２・・・装置本体、３・・・室内給気口、４・・・室内吸込口、５Ａ・・・換気システム、６・・・浴室換気装置、７・・・副吸込口、２０・・・給気ファン部、２０ａ・・・給気ファンモータ、２１・・・排気ファン部、２２・・・熱交換素子、２３・・・本体ケース、２３ｂ・・・蓋部、２４・・・フィルタボックス、３０・・・給気ダクト、３１・・・給気ダクト取付部、３２・・・外気吸込ダクト取付部、３３・・・外気吸込ダクト、３３ａ・・・屋外吸込口、３４・・・外気導入風路、３５・・・給気フィルタ、４０・・・排気ダクト、４１・・・排気ダクト取付部、４２・・・還気排出ダクト取付部、４３・・・還気排出ダクト、４３ａ・・・屋外排出口、４４・・・還気排出風路、４５・・・排気フィルタ、６０・・・フロントパネル、６１・・・排気ダクト、６１ａ・・・屋外排出口、７０・・・副吸込ダクト、１００・・・建物、１０１・・・配管設置空間、１０２・・・室内、１０３・・・床面、１０４・・・天井、１０５・・・壁面、１０５ａ・・・壁内、１０６・・・外壁、１０７・・・浴室、１０８・・・洗面脱衣所、１０９・・・トイレ、１１０・・・室内収納部、１１０ａ・・・押入れ、１１０ｂ・・・クローゼット
【図１】
2008032319.tif 000004
【図２】
2008032319.tif 000005
【図３】
2008032319.tif 000006
【図４】
2008032319.tif 000007
【図５】
2008032319.tif 000008
【図６】
2008032319.tif 000009